(57)【特許請求の範囲】
【請求項１】
縦桟と横桟とが格子状に組まれたメッシュパネルを、ハット形鋼からなる支柱に固定するためのフェンス用固定金具において、
前記支柱のフランジに係合する爪を有する折り曲げ片が両端に形成され、前記折り曲げ片間に前記縦桟が嵌まり込む複数個の溝とボルトとが設けられたコ字状の第１金具と、短尺片とボルト孔が形成された長尺片とからなり、前記短尺片は、前記第１金具の一方の前記折り曲げ片上に重ね合わされ、前記長尺片は、前記溝内に嵌め込まれた前記縦桟を押えるＬ字状の第２金具と、前記第２金具と同一形状の第３金具とからなり、前記支柱に取り付けた前記第１金具の前記溝に前記縦桟を嵌め込み、前記第２金具を前記第１金具の一方の前記折り曲げ片上に重ね合わせ、前記第３金具を前記第１金具の他方の前記折り曲げ片上に重ね合わせ、前記ボルトを前記第２および第３金具の前記ボルト孔に挿通し、ナット締めすることによって、前記メッシュパネルを前記支柱に固定することを特徴とするフェンス用固定金具。
【請求項２】
前記第１金具の前記溝は、複数個連設され、その深さは、前記縦桟の直径寸法より浅いことを特徴とする、請求項１記載のフェンス用固定金具。
【請求項３】
前記第１金具の前記溝は、半円形状または横長半円形状に形成されていることを特徴とする、請求項１または２記載のフェンス用固定金具。
【発明の詳細な説明】
【技術分野】
【０００１】
この発明は、フェンス用固定金具、特に、既設のネットフェンスをメッシュフェンスに改装する際に使用するフェンス用固定金具に関するものである。
【背景技術】
【０００２】
従来から広く構築されているフェンスとしてネットフェンスがある。このネットフェンスは、図４および図５に示すように、ハット形鋼からなる支柱１と、支柱１間に固定された、アングル鋼からなる上、下胴縁２（上胴縁のみ図示）と、上、下胴縁２間に取り付けられた菱形金網３とからなっている。端部がナックル加工された菱形金網３は、その上端部に挿通された鉄線４を、上胴縁２の垂直部に形成された爪２Ａに引っ掛けることによって、上胴縁２に取り付けられている。菱形金網３の下端部の下胴縁（図示せず）への取り付けは、爪２Ａの向きが上下逆になっている点を除いて、上胴縁の場合と同様である。
【０００３】
上胴縁２の垂直部は、支柱１のリップの上部に形成された上部爪１Ａ内に挿入され、上胴縁２の水平部は、支柱１のウェブに挿通されたボルト５により固定金具６を介して固定されている。固定金具６は、上胴縁２の水平部が嵌め込まれる溝６Ａを有し、袋ナット７によって固定されている。下胴縁の支柱１への固定構造は、上部爪１Ａの向きが上下逆になっている点を除いて、上胴縁の場合と同様である。
【発明の開示】
【発明が解決しようとする課題】
【０００４】
このように構成されているネットフェンスは、年月が経過すると、菱形金網３の破れや変形によって、美観が著しく損なわれ、場合によってはフェンスとしての機能が失われる場合もある。
【０００５】
このような欠陥を有するフェンスは、新規に構築し直すのが最良であるが、構築費用および工期がかかるので、破損部分のみを新たな部材に取り替える改装が得策である。また、改装する場合であっても、より安価に短期間で構築することが強く望まれている。
【０００６】
一方、菱形金網３を用いたネットフェンスに比べて美観が優れていることから人気が高まっているメッシュフェンスが近年、主流になりつつある。メッシュフェンスは、上、下端部を種々の形状に折り曲げて胴縁を形成した鋼線材製縦桟に鋼線材製横桟を溶接により接合し、これに樹脂被覆を施して、メッシュパネルを構成し、このメッシュパネルを支柱間に固定したものである。
【０００７】
このようなメッシュフェンスが主流となりつつある現状において、ネットフェンスの支柱をそのまま利用し、この既設の支柱にメッシュパネルを取り付けてメッシュフェンスに改装すれば、構築費用および工期面で多大なメリットがある。
【０００８】
この際、メッシュパネルを既設の支柱に固定する際、支柱にボルト孔等の加工を新たに施すことなくメッシュパネルを確実に支柱に固定することができ、しかも、メッシュパネルの縦桟の位置が支柱に対して横方向に多少ズレても、これに対応して縦桟を確実に支柱に固定することができるフェンス用固定金具が望まれているが、かかる固定金具は未だ開発されていない。
【０００９】
従って、この発明の目的は、メッシュフェンスを新設する際は勿論、ネットフェンスをメッシュフェンスに改装する際に、支柱にボルト孔等の加工を施すことなくメッシュパネルを確実に支柱に固定することができ、しかも、メッシュパネルの縦桟の位置が支柱に対して横方向に多少ずれていても、これに対応して縦桟を確実に支柱に固定することができるフェンス用固定金具を提供することにある。
【課題を解決するための手段】
【００１０】
この発明は、上記目的を達成するためになされたものであって、下記を特徴とするものである。
【００１１】
請求項１記載の発明は、縦桟と横桟とが格子状に組まれたメッシュパネルを、ハット形鋼からなる支柱に固定するためのフェンス用固定金具において、前記支柱のフランジに係合する爪を有する折り曲げ片が両端に形成され、前記折り曲げ片間に前記縦桟が嵌まり込む複数個の溝とボルトとが設けられたコ字状の第１金具と、短尺片とボルト孔が形成された長尺片とからなり、前記短尺片は、前記第１金具の一方の前記折り曲げ片上に重ね合わされ、前記長尺片は、前記溝内に嵌め込まれた前記縦桟を押えるＬ字状の第２金具と、前記第２金具と同一形状の第３金具とからなり、前記支柱に取り付けた前記第１金具の前記溝に前記縦桟を嵌め込み、前記第２金具を前記第１金具の一方の前記折り曲げ片上に重ね合わせ、前記第３金具を前記第１金具の他方の前記折り曲げ片上に重ね合わせ、前記ボルトを前記第２および第３金具の前記ボルト孔に挿通し、ナット締めすることによって、前記メッシュパネルを前記支柱に固定することに特徴を有するものである。
【００１２】
請求項２記載の発明は、請求項１記載の発明において、第１金具の溝は、複数個連設され、その深さは、縦桟の直径寸法より浅いことに特徴を有するものである。
【００１３】
請求項３記載の発明は、請求項１または２記載の発明において、第１金具の溝は、半円形状または横長半円形状に形成されていることに特徴を有するものである。
【発明の効果】
【００１４】
この発明によれば、メッシュフェンスを新設する際は勿論、ネットフェンスをメッシュフェンスに改装する際に、支柱にボルト孔等の加工を施すことなくメッシュパネルを確実に支柱に固定することができ、しかも、メッシュパネルの縦桟の位置が支柱に対して横方向に多少ずれていても、これに対応して縦桟を確実に支柱に固定することができる。
【発明を実施するための最良の形態】
【００１５】
この発明のフェンス用固定金具の一実施態様を、図面を参照しながら説明する。
【００１６】
図１は、この発明のフェンス用固定金具を示す組立て斜視図、図２は、この発明のフェンス用固定金具の使用状態を示す平面図、図３は、この発明のフェンス用固定金具の使用状態を示す側面図である。
【００１７】
図１から図３において、８は、コ字状の第１金具であり、ハット形鋼からなる支柱１のフランジ１Ｂに係合する爪１０を有する折り曲げ片９Ａ、９Ｂが両端に形成され、一方の折り曲げ片９Ａと他方の折り曲げ片９Ｂとの間に、メッシュパネルの縦桟１１が嵌まり込む複数個の半円形状の溝８Ａとボルト１２とが設けられている。折り曲げ片９Ａと９Ｂとの間隔は、支柱１のフランジ１Ｂ間の幅とほぼ等しく、爪１０は、折り曲げ片９Ａと９Ｂの内面から内側に突出している。溝８Ａの深さ（Ｌ）は、縦桟１１の直径寸法（Ｄ）より浅くなっている。この理由は、後述する第２金具１３により縦桟１１を挟んで、これを固定するためである。なお、溝８Ａの形状は、半円形状以外に横長半円形状であっても良く。この場合には、傾斜地にフェンスを施工する場合の支柱１と縦桟１１との角度の変化に対応することができる。
【００１８】
１３は、Ｌ字状の第２金具であり、短尺片１３Ａと横長のボルト孔１３Ｃが形成された長尺片１３Ｂとからなり、短尺片１３Ａは、第１金具８の一方の折り曲げ片９Ａ上に重ね合わされ、長尺片１３Ｂは、第１金具８の溝８Ａ内に嵌め込まれた、メッシュパネルの縦桟１１を押える。
【００１９】
１４は、第２金具１３と同一形状の第３金具である。すなわち、Ｌ字状をなし、短尺片１４Ａ、長尺片１４Ｂおよびボルト孔１４Ｃを有している。
【００２０】
上述した、この発明のフェンス用固定金具により、メッシュパネルを支柱に固定するには、以下のようにする。
【００２１】
支柱１のフランジ１Ｂの裏面に当接するように第１金具８を嵌め込む。支柱１に嵌め込まれた第１金具８は、その爪１０がフランジ１Ｂに係合することによって、支柱１から外れることはない。次に、メッシュパネルの縦桟１１を第１金具８の溝８Ａ内に嵌め込む。この際、支柱１と縦桟１１との位置が多少ずれていても、溝８Ａは複数個連設されているので、何れかの溝に入り込む。これにより、縦桟１１を確実に固定することができる。
【００２２】
次いで、第２金具１３を第１金具８の一方の折り曲げ片９Ａ上に重ね合わせて、溝８Ａ内の縦桟１１を押える。次いで、第３金具１４をその向きを第２金具１３を１８０°逆にして第１金具の他方の折り曲げ片９Ｂ上に重ね合わせる。そして、第２および第３金具１３、１４のボルト孔１３Ｃ、１４Ｃから突出した第１金具８のボルト１２にナット１５をねじ込む。これによって、メッシュパネルを支柱１に固定することができる。
【００２３】
この発明の固定金具によれば、支柱１にボルト孔をあけることなく、メッシュパネルを支柱１に固定することができるので、ネットフェンスをメッシュフェンスに改装する際に特に有効である。この理由は、既存の支柱１に後からボルト孔をあける場合には、孔あけ作業と防錆塗装作業に時間と手間がかかるからである。勿論、メッシュフェンスを新設する場合にも、この発明の固定金具を使用できることは言うまでもない。
【図面の簡単な説明】
【００２４】
【図１】この発明のフェンス用固定金具を示す組立て斜視図である。
【図２】この発明のフェンス用固定金具の使用状態を示す平面図である。
【図３】この発明のフェンス用固定金具の使用状態を示す側面図である。
【図４】ネットフェンスを示す部分正面図である。
【図５】ネットフェンスを示す部分側面図である。
【符号の説明】
【００２５】
１：支柱
１Ａ：上部爪
１Ｂ：フランジ
２：胴縁
２Ａ：爪
３：菱形金網
４：鉄線
５：ボルト
６：固定金具
６Ａ：溝
７：袋ナット
８：第１金具（本発明）
８Ａ：溝
９Ａ：一方の折り曲げ片
９Ｂ：他方の折り曲げ片
１０：爪
１１：縦桟
１２：ボルト
１３：第２金具（本発明）
１３Ａ：短尺片
１３Ｂ：長尺片
１３Ｃ：ボルト孔
１４：第３金具（本発明）
１４Ａ：短尺片
１４Ｂ：長尺片
１４Ｃ：ボルト孔
１５：ナット
【図１】
0004628251.tif 000002
【図２】
0004628251.tif 000003
【図３】
0004628251.tif 000004
【図４】
0004628251.tif 000005
【図５】
0004628251.tif 000006